【手続補正書】
【提出日】平成20年1月24日(2008.1.24)
【手続補正１】
【補正対象書類名】明細書
【補正対象項目名】特許請求の範囲
【補正方法】変更
【補正の内容】
【特許請求の範囲】
【請求項１】  電気自動車の運転環境を検出する運転環境検出手段と、
ガソリン車のエンジン音と近似した擬似エンジン音を発生する擬似音発生手段と、
前記運転環境検出手段により検出した前記電気自動車の運転環境に基いて前記擬似音発生手段により発生する前記擬似エンジン音の音量を制御する音量制御手段を備え、
前記運転環境検出手段は、車両の位置と対応する地図情報とを照合して前記車両の位置を特定すると共に、走行経路探索および走行案内を行うナビゲーションシステムから前記電気自動車が運転に注意すべき環境にあるか否かを検出するものであることを特徴とする擬似エンジン音制御装置。
【請求項２】  前記運転に注意すべき環境は、前記電気自動車が前記ナビゲーションシステムによる案内地点の近くに位置している状態であり、
前記音量制御手段は、前記電気自動車が前記案内地点の近くに位置している状態である場合に前記擬似音発生手段により発生する前記擬似エンジン音の音量を低減または消去するように制御することを特徴とする請求項１記載の擬似エンジン音制御装置。    
【請求項３】  前記運転に注意すべき環境は、前記電気自動車が踏切道の近くに位置している状態であり、
前記音量制御手段は、前記電気自動車が前記踏切道の近くに位置している状態である場合に前記擬似音発生手段により発生する前記擬似エンジン音の音量を低減または消去するように制御することを特徴とする請求項１記載の擬似エンジン音制御装置。
【請求項４】  前記運転に注意すべき環境は、前記電気自動車が市街地の近くに位置している状態であり、
前記音量制御手段は、前記電気自動車が前記市街地の近くに位置している状態である場合に前記擬似音発生手段により発生する前記擬似エンジン音の音量を低減または消去するように制御することを特徴とする請求項１記載の擬似エンジン音制御装置。
【請求項５】  前記運転に注意すべき環境は、前記電気自動車が前記電気自動車の走行中の道路の制限速度を超過している状態であり、
前記音量制御手段は、前記電気自動車が前記電気自動車の走行中の道路の制限速度を超過している状態である場合に前記擬似音発生手段により発生する前記擬似エンジン音の音量を増大するように制御することを特徴とする請求項１記載の擬似エンジン音制御装置。    【請求項６】  オーディオ装置の音量を調整する音量調整手段と、
ガソリン車のエンジン音と近似した擬似エンジン音を発生する擬似音発生手段と、
前記音量調整手段により前記オーディオ装置の音量が増大するように調整された時に、前記擬似音発生手段により発生する前記擬似エンジン音の音量を低減または消去するように制御する音量制御手段を備えたことを特徴とする擬似エンジン音制御装置。
【請求項７】  車両外部からの情報を受信する情報受信手段と、
ガソリン車のエンジン音と近似した擬似エンジン音を発生する擬似音発生手段と、
前記情報受信手段により外部からの情報が受信された時に、前記擬似音発生手段により発生する前記擬似エンジン音の音量を低減または消去するように制御する音量制御手段を備えたことを特徴とする擬似エンジン音制御装置。
【請求項８】  音声を発生する音声発生手段と、
前記音声とは異なるガソリン車のエンジン音と近似した擬似エンジン音を発生する擬似音発生手段と、
前記音声発生手段により音声が発生した場合、前記擬似エンジン音の音量を低減または消去する音量制御手段を備えたことを特徴とする擬似エンジン音制御装置。
【手続補正２】
【補正対象書類名】明細書
【補正対象項目名】０００８
【補正方法】変更
【補正の内容】
【０００８】
【課題を解決する為の手段】
上述の目的を達成するために本発明は電気自動車の運転環境を検出する運転環境検出手段と、ガソリン車のエンジン音と近似した擬似エンジン音を発生する擬似音発生手段と、  前記運転環境検出手段により検出した前記電気自動車の運転環境に基いて前記擬似音発生手段により発生する前記擬似エンジン音の音量を制御する音量制御手段を備え、前記運転環境検出手段は、車両の位置と対応する地図情報とを照合して前記車両の位置を特定すると共に、走行経路探索および走行案内を行うナビゲーションシステムから前記電気自動車が運転に注意すべき環境にあるか否かを検出するものであることを特徴とするものである。
【手続補正３】
【補正対象書類名】明細書
【補正対象項目名】０００９
【補正方法】変更
【補正の内容】
【０００９】
また、前記運転に注意すべき環境は、前記電気自動車が前記ナビゲーションシステムによる案内地点の近くに位置している状態であり、前記音量制御手段は、前記電気自動車が前記案内地点の近くに位置している状態である場合に前記擬似音発生手段により発生する前記擬似エンジン音の音量を低減または消去するように制御することを特徴とするものである。
【手続補正４】
【補正対象書類名】明細書
【補正対象項目名】００１０
【補正方法】変更
【補正の内容】
【００１０】
また、前記運転に注意すべき環境は、前記電気自動車が踏切道の近くに位置している状態であり、
前記音量制御手段は、前記電気自動車が前記踏切道の近くに位置している状態である場合に前記擬似音発生手段により発生する前記擬似エンジン音の音量を低減または消去するように制御することを特徴とするものである。
【手続補正５】
【補正対象書類名】明細書
【補正対象項目名】００１１
【補正方法】変更
【補正の内容】
【００１１】
また、前記運転に注意すべき環境は、前記電気自動車が市街地の近くに位置している状態であり、
前記音量制御手段は、前記電気自動車が前記市街地の近くに位置している状態である場合に前記擬似音発生手段により発生する前記擬似エンジン音の音量を低減または消去するように制御することを特徴とするものである。
【手続補正６】
【補正対象書類名】明細書
【補正対象項目名】００１２
【補正方法】変更
【補正の内容】
【００１２】
また、前記運転に注意すべき環境は、前記電気自動車が前記電気自動車の走行中の道路の制限速度を超過している状態であり、前記音量制御手段は、前記電気自動車が前記電気自動車の走行中の道路の制限速度を超過している状態である場合に前記擬似音発生手段により発生する前記擬似エンジン音の音量を増大するように制御することを特徴とするものである。
【手続補正７】
【補正対象書類名】明細書
【補正対象項目名】００１３
【補正方法】変更
【補正の内容】
【００１３】
また、オーディオ装置の音量を調整する音量調整手段と、ガソリン車のエンジン音と近似した擬似エンジン音を発生する擬似音発生手段と、前記音量調整手段により前記オーディオ装置の音量が増大するように調整された時に、前記擬似音発生手段により発生する前記擬似エンジン音の音量を低減または消去するように制御する音量制御手段を備えたことを特徴とするものである。
【手続補正８】
【補正対象書類名】明細書
【補正対象項目名】００１４
【補正方法】変更
【補正の内容】
【００１４】
また、車両外部からの情報を受信する情報受信手段と、ガソリン車のエンジン音と近似した擬似エンジン音を発生する擬似音発生手段と、前記情報受信手段により外部からの情報が受信された時に、前記擬似音発生手段により発生する前記擬似エンジン音の音量を低減または消去するように制御する音量制御手段を備えたことを特徴とするものである。
【手続補正９】
【補正対象書類名】明細書
【補正対象項目名】００１５
【補正方法】変更
【補正の内容】
【００１５】
また、音声を発生する音声発生手段と、前記音声とは異なるガソリン車のエンジン音と近似した擬似エンジン音を発生する擬似音発生手段と、前記音声発生手段により音声が発生した場合、前記擬似エンジン音の音量を低減または消去する音量制御手段を備えたことを特徴とするものである。